(57)【要約】  暗証番号を他人に知られてしまうことを抑制しつつ、暗証番号の入力操作を容易にする。  番号入力システム（１）は、入力部（２ａ）と、表示部（２ｂ）と、それぞれが所定の規則（５）に基づいて番号と対応付けられた複数の識別子を表示部（２ｂ）に表示し、表示部（２ｂ）に表示した複数の識別子のうち入力部（２ａ）によって選択された識別子に対応する番号をホスト装置（４）に通知する制御部（２ｃ）と、を有している情報処理装置（２）と、撮像部（３ａ）と、表示部（３ｂ）と、撮像部（３ａ）が撮像した画像に含まれる識別子を所定の規則（５）に基づいて番号に変換し、変換した番号を表示部（３ｂ）に表示する制御部（３ｃ）と、を有しているビュアー装置（３）と、を有する。
2013065103.tif 000002
【特許請求の範囲】
【請求項１】
撮像部と、
第１の表示部と、
制御部とを有し、
前記制御部は、第２の表示部を有し複数の識別子を前記第２の表示部に表示し前記第２の表示部に表示した複数の識別子のうち選択された識別子に対応する番号をホスト装置に通知する情報処理装置における、前記第２の表示部に表示された複数の識別子のそれぞれと前記ホスト装置に通知される番号との対応関係を規定した所定の規則に基づいて、前記撮像部によって撮像された画像に含まれる識別子を番号に変換し、変換した番号を前記第１の表示部に表示する、
ことを特徴とするビュアー装置。
【請求項２】
前記制御部は、前記撮像部が撮像した画像に含まれている識別子の歪みに応じて、前記第１の表示部に表示する変換した番号の視認性を調整すること、
を特徴とする請求の範囲第１項記載のビュアー装置。
【請求項３】
前記制御部は、変換した番号が付された立体画像を前記第１の表示部に表示し、前記撮像部が撮像した画像に含まれている識別子の歪みに応じて、前記第１の表示部に表示する立体画像の表示角度を変化させ、変換した番号の視認性を調整すること、
を特徴とする請求の範囲第２項記載のビュアー装置。
【請求項４】
前記制御部は、変換した番号を、前記撮像部が撮像した画像に含まれる対応する識別子と同じ配列位置に表示すること、
を特徴とする請求の範囲第１項〜第３項のいずれか１項に記載のビュアー装置。
【請求項５】
入力部と、第２の表示部と、それぞれが所定の規則に基づいて番号と対応付けられた複数の識別子を前記第２の表示部に表示し、前記第２の表示部に表示した複数の識別子のうち前記入力部によって選択された識別子に対応する番号をホスト装置に通知する第２の制御部と、を有している情報処理装置と、
撮像部と、第１の表示部と、前記撮像部が撮像した画像に含まれる識別子を前記所定の規則に基づいて番号に変換し、変換した番号を前記第１の表示部に表示する第１の制御部と、を有しているビュアー装置と、
を含むことを特徴とする番号入力システム。
【請求項６】
前記第２の制御部は、前記第２の表示部に表示した複数の識別子のうち前記入力部によって選択された識別子の列を、前記第２の表示部に表示すること、
を特徴とする請求の範囲第５項記載の番号入力システム。
【請求項７】
撮像部と第１の表示部とを有するビュアー装置と、入力部と第２の表示部とを有する情報処理装置とを含む番号入力システムが実施する番号入力方法であって、
それぞれが所定の規則に基づいて番号と対応付けられた複数の識別子を前記第２の表示部に表示し、
前記第２の表示部に表示した複数の識別子を前記撮像部によって撮像し、
前記撮像部によって撮像した画像に含まれる識別子を前記所定の規則に基づいて番号に変換し、
変換した番号を前記第１の表示部に表示し、
前記第２の表示部に表示した複数の識別子のうち前記入力部によって選択された識別子に対応する番号をホスト装置に通知する、
ことを特徴とする番号入力方法。
【請求項８】
撮像部と第１の表示部とを有しているビュアー装置に用いられる変換プログラムであって、コンピュータに、
第２の表示部を有し複数の識別子を前記第２の表示部に表示し前記第２の表示部に表示した複数の識別子のうち選択された識別子に対応する番号をホスト装置に通知する情報処理装置における、前記第２の表示部に表示された複数の識別子のそれぞれと前記ホスト装置に通知される番号との対応関係を規定した所定の規則に基づいて、前記撮像部によって撮像された画像に含まれる識別子を番号に変換し、
変換した番号を前記第１の表示部に表示する、
処理を実行させる変換プログラム。
【発明の詳細な説明】
【技術分野】
【０００１】
本件は、ビュアー装置、番号入力システム、番号入力方法、および、変換プログラムに関する。
【背景技術】
【０００２】
例えば、金融機関の店舗や小売店に設置された自動取引装置（ＡＴＭ：Automated Teller Machine）や、クレジットカードによる精算を実施する精算装置等は、暗証番号の入力を受け付ける入力装置を有している。入力装置には、例えば、複数の番号キーが配置または表示されている。そして、利用者がいずれかの番号キーを選択して押下することで、暗証番号の入力が行われる。【０００３】
このような入力装置を用いて暗証番号を入力する場合、入力操作を他人に覗き見られてしまい、暗証番号が他人に知られてしまう可能性がある。これに対して、入力操作を他人に覗き見られたとしても、暗証番号を他人に知られてしまうことを抑制するべく、番号キーを図形等に置き換えて表示する技術がある。
【先行技術文献】
【特許文献】
【０００４】
【特許文献１】特開２００８−２７４１３号公報
【特許文献２】特開２００２−３１１９９２号公報
【発明の概要】
【発明が解決しようとする課題】
【０００５】
しかしながら、番号キーを図形に置き換えて表示する方法では、利用者が図形に対応する番号を記憶したり、または、メモしたりする必要がある。複数の図形それぞれに対応する番号を記憶することは、利用者にとって負担が大きい。また、図形に対応する番号をメモする場合、そのメモを見ながら暗証番号を入力することとなるが、この場合、入力操作が煩雑となる。また、メモを紛失してしまう可能性もある。【０００６】
このような点に鑑み、開示のビュアー装置、番号入力システム、番号入力方法、および、変換プログラムでは、暗証番号を他人に知られてしまうことを抑制しつつ、暗証番号の入力操作を容易にすることを目的とする。
【課題を解決するための手段】
【０００７】
上記目的を達成するために以下のようなビュアー装置、番号入力システム、番号入力方法、および、変換プログラムが提供される。
このビュアー装置は、撮像部と、第１の表示部と、制御部とを有し、制御部は、第２の表示部を有し複数の識別子を第２の表示部に表示し第２の表示部に表示した複数の識別子のうち選択された識別子に対応する番号をホスト装置に通知する情報処理装置における、第２の表示部に表示された複数の識別子のそれぞれとホスト装置に通知される番号との対応関係を規定した所定の規則に基づいて、撮像部によって撮像された画像に含まれる識別子を番号に変換し、変換した番号を第１の表示部に表示する。【０００８】
また、この番号入力システムは、入力部と、第２の表示部と、それぞれが所定の規則に基づいて番号と対応付けられた複数の識別子を第２の表示部に表示し、第２の表示部に表示した複数の識別子のうち入力部によって選択された識別子に対応する番号をホスト装置に通知する第２の制御部と、を有している情報処理装置と、撮像部と、第１の表示部と、撮像部が撮像した画像に含まれる識別子を所定の規則に基づいて番号に変換し、変換した番号を第１の表示部に表示する第１の制御部と、を有しているビュアー装置と、を含む。【０００９】
また、この番号入力方法は、撮像部と第１の表示部とを有するビュアー装置と、入力部と第２の表示部とを有する情報処理装置とを含む番号入力システムが実施する番号入力方法であって、それぞれが所定の規則に基づいて番号と対応付けられた複数の識別子を第２の表示部に表示し、第２の表示部に表示した複数の識別子を撮像部によって撮像し、撮像部によって撮像した画像に含まれる識別子を所定の規則に基づいて番号に変換し、変換した番号を第１の表示部に表示し、第２の表示部に表示した複数の識別子のうち入力部によって選択された識別子に対応する番号をホスト装置に通知する。【００１０】
また、この変換プログラムは、撮像部と第１の表示部とを有しているビュアー装置に用いられる変換プログラムであって、コンピュータに、第２の表示部を有し複数の識別子を第２の表示部に表示し第２の表示部に表示した複数の識別子のうち選択された識別子に対応する番号をホスト装置に通知する情報処理装置における、第２の表示部に表示された複数の識別子のそれぞれとホスト装置に通知される番号との対応関係を規定した所定の規則に基づいて、撮像部によって撮像された画像に含まれる識別子を番号に変換し、変換した番号を第１の表示部に表示する、処理を実行させる。
【発明の効果】
【００１１】
開示のビュアー装置、番号入力システム、番号入力方法、および、変換プログラムによれば、暗証番号を他人に知られてしまうことを抑制しつつ、暗証番号の入力操作を容易にすることが可能となる。【００１２】
本発明の上記および他の目的、特徴および利点は本発明の例として好ましい実施の形態を表す添付の図面と関連した以下の説明により明らかになるであろう。
【図面の簡単な説明】
【００１３】
【図１】第１の実施の形態に係る番号入力システムの一例を示す図である。
【図２】第２の実施の形態に係る暗証番号認証システムの一例を示す図である。
【図３】第２の実施の形態に係る制御装置のハードウェアの一例を示す図である。
【図４】第２の実施の形態に係るビュアー装置のハードウェアの一例を示す図である。
【図５】第２の実施の形態に係る入力キー表示画面の一例を示す図である。
【図６】第２の実施の形態に係る識別子と入力キーとの対応表の一例を示す図である。
【図７】第２の実施の形態に係るビュアー制御部の機能の一例を示す図である。
【図８】第２の実施の形態に係る対応データの一例を示す図である。
【図９】第２の実施の形態に係る立体画像の表示手順の一例を示すフローチャートである。
【図１０】第２の実施の形態に係る立体画像表示画面の一例を示す図である。
【図１１】第２の実施の形態に係る立体画像表示画面の他の一例を示す図である。
【図１２】第２の実施の形態に係る暗証番号の通知手順の一例を示すフローチャートである。
【発明を実施するための形態】
【００１４】
以下、実施の形態を図面を参照して説明する。
［第１の実施の形態］
図１は、第１の実施の形態に係る番号入力システムの一例を示す図である。
【００１５】
番号入力システム１は、ホスト装置４に接続された情報処理装置２と、ビュアー装置３とを有している。情報処理装置２は、入力部２ａと、表示部２ｂと、制御部２ｃとを有している。制御部２ｃは、入力部２ａ、表示部２ｂ、および、ホスト装置４に接続されている。
【００１６】
制御部２ｃは、それぞれが所定の規則５に基づいて番号と対応付けられた複数の識別子を表示部２ｂに表示する。識別子は、例えば、記号や文字等である。例えば、識別子「▽」は、番号「１」に対応し、識別子「□」は、番号「２」に対応する。
【００１７】
また、制御部２ｃは、表示部２ｂに表示した複数の識別子のうち入力部２ａによって選択された識別子に対応する番号をホスト装置４に通知する。なお、選択された識別子に対応する番号は、例えば、４つ分がまとめられ、４桁の番号列として通知される。ホスト装置４では、例えば、制御部２ｃから通知された番号に基づいて認証処理が実行される。また、制御部２ｃは、例えば、表示部２ｂに表示した複数の識別子のうち入力部２ａによって選択された識別子の列を、表示部２ｂに表示する。
【００１８】
ビュアー装置３は、撮像部３ａと、表示部３ｂと、制御部３ｃとを有している。制御部３ｃは、撮像部３ａおよび表示部３ｂと接続されている。制御部３ｃは、撮像部３ａが撮像した画像に含まれる識別子を所定の規則５に基づいて番号に変換し、変換した番号を表示部３ｂに表示する。例えば、識別子「▽」は、番号「１」に変換され、識別子「□」は、番号「２」に変換される。
【００１９】
次に、番号入力システム１による番号入力の手順について説明する。
まず、情報処理装置２の制御部２ｃが、それぞれが所定の規則５に基づいて番号と対応付けられた複数の識別子を表示部２ｂに表示する。
【００２０】
次に、利用者がビュアー装置３を情報処理装置２の表示部２ｂに翳す。これに伴い、表示部２ｂの表示画面がビュアー装置３の撮像部３ａによって撮像される。
次に、ビュアー装置３の制御部３ｃが、撮像部３ａが撮像した画像に含まれる識別子を所定の規則に基づいて番号に変換し、変換した番号を表示部３ｂに表示する。
【００２１】
次に、利用者が、表示部３ｂに表示された番号を参照しながら情報処理装置２の入力部２ａを操作して、情報処理装置２の表示部２ｂに表示された複数の識別子のうちのいずれかを選択する。
【００２２】
なお、制御部２ｃは、例えば、表示部２ｂに表示された複数の識別子のうち入力部２ａによって選択された識別子の列を、表示部２ｂに表示する。この識別子の列は、ビュアー装置３の制御部３ｃによって番号列に変換され、表示部３ｂに表示される。
【００２３】
次に、情報処理装置２の制御部２ｃが、表示部２ｂに表示した複数の識別子のうち入力部２ａによって選択された識別子に対応する番号をホスト装置４に通知する。
次に、ホスト装置４が、制御部２ｃから通知された番号に基づく認証処理を実行する。
【００２４】
このように、番号入力システム１によれば、暗証番号の入力の際、情報処理装置２の表示部２ｂには、番号に替えて識別子が表示されるため、入力操作を他人に覗き見られたとしても、暗証番号が他人に知られてしまうことを抑制できる。
【００２５】
また、番号入力システム１によれば、利用者は、ビュアー装置３の表示部３ｂに表示された番号を参照しながら識別子を選択できるので、複数の識別子に対応する番号を記憶したりまたはメモしたりする必要がないため、暗証番号の入力操作を容易に行うことが可能となる。
【００２６】
また、番号入力システム１によれば、例えば、利用者は、入力した暗証番号をビュアー装置３の表示部３ｂに表示された番号列を視認することで確認することができる。
［第２の実施の形態］
次に、第２の実施の形態について説明する。
【００２７】
図２は、第２の実施の形態に係る暗証番号認証システムの一例を示す図である。
暗証番号認証システム１０は、暗証番号入力システム１１と、暗証番号入力システム１１とネットワーク１３を介して接続されたホスト装置１２とを含む。さらに、暗証番号入力システム１１は、情報処理装置１１ａと、ビュアー装置２００とを含む。
【００２８】
情報処理装置１１ａは、ディスプレイ１０４ａと、タッチパネル１０５ａと、制御装置１００とを有している。利用者がタッチパネル１０５ａをタッチすることで、暗証番号の入力が行われる。制御装置１００は、タッチパネル１０５ａによって入力された暗証番号をホスト装置１２に通知する。
【００２９】
ビュアー装置２００は、ディスプレイ２０３と、カメラ２０４とを有している。ビュアー装置２００は、持ち運び可能であり、利用者によって情報処理装置１１ａのディスプレイ１０４ａに翳されると、暗証番号の入力を支援する支援情報をディスプレイ２０３に表示する。
【００３０】
図３は、第２の実施の形態に係る制御装置のハードウェアの一例を示す図である。
制御装置１００は、ＣＰＵ（Central Processing Unit）１０１によって装置全体が制御されている。ＣＰＵ１０１には、バス１０８を介してＲＡＭ（Random Access Memory）１０２と複数の周辺機器が接続されている。
【００３１】
ＲＡＭ１０２は、制御装置１００の主記憶装置として使用される。ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に必要な各種データが格納される。
【００３２】
バス１０８に接続されている周辺機器としては、ハードディスクドライブ（ＨＤＤ:Hard Disk Drive）１０３、グラフィック処理装置１０４、入力インタフェース１０５、光学ドライブ装置１０６、および通信インタフェース１０７がある。
【００３３】
ＨＤＤ１０３は、内蔵したディスクに対して、磁気的にデータの書き込みおよび読み出しを行う。ＨＤＤ１０３は、制御装置１００の二次記憶装置として使用される。ＨＤＤ１０３には、ＯＳのプログラム、アプリケーションプログラム、および各種データが格納される。なお、二次記憶装置としては、フラッシュメモリなどの半導体記憶装置を使用することもできる。
【００３４】
グラフィック処理装置１０４には、ディスプレイ１０４ａが接続されている。グラフィック処理装置１０４は、ＣＰＵ１０１からの命令に従って、画像をディスプレイ１０４ａに表示させる。ディスプレイ１０４ａとしては、ＣＲＴ（Cathode Ray Tube）を用いた表示装置や液晶表示装置などがある。
【００３５】
入力インタフェース１０５には、タッチパネル１０５ａが接続されている。タッチパネル１０５ａは、ディスプレイ１０４ａの上面に配置されており、ディスプレイ１０４ａに表示された画像は、タッチパネル１０５ａを透過し、利用者に視認される。入力インタフェース１０５は、タッチパネル１０５ａから送られてくる信号をＣＰＵ１０１に送信する。なお、タッチパネル１０５ａは、ポインティングデバイスの一例であり、他のポインティングデバイスを使用することもできる。他のポインティングデバイスとしては、マウス、タブレット、タッチパッド、トラックボールなどがある。
【００３６】
光学ドライブ装置１０６は、レーザ光などを利用して、光ディスク１０６ａに記録されたデータの読み取りを行う。光ディスク１０６ａは、光の反射によって読み取り可能なようにデータが記録された可搬型の記録媒体である。光ディスク１０６ａには、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）などがある。
【００３７】
通信インタフェース１０７は、ネットワーク１３に接続されている。通信インタフェース１０７は、ネットワーク１３を介して、他のコンピュータまたは通信機器との間でデータの送受信を行う。
【００３８】
図４は、第２の実施の形態に係るビュアー装置のハードウェアの一例を示す図である。
ビュアー装置２００は、ＣＰＵ２０１によって装置全体が制御されている。ＣＰＵ２０１には、メモリ２０２と複数の周辺機器が接続されている。メモリ２０２は、ビュアー装置２００の主記憶装置として使用される。
【００３９】
メモリ２０２には、ＣＰＵ２０１に実行させるＯＳのプログラムやアプリケーションプログラムの少なくとも一部が一時的に格納される。また、メモリ２０２には、ＣＰＵ２０１による処理に必要な各種情報が格納される。
【００４０】
ＣＰＵ２０１に接続されている周辺機器としては、ディスプレイ２０３と、カメラ２０４とがある。ディスプレイ２０３は、ＣＰＵ２０１からの命令に従って、画像を表示する。ディスプレイ２０３は、例えば、液晶表示装置である。カメラ２０４は、ＣＰＵ２０１からの命令に従って、撮像範囲を撮像する。カメラ２０４には、例えば、ＣＣＤ（Charge Coupled Device）が用いられる。
【００４１】
以上のような図３および図４に示すハードウェアによって、本実施の形態の処理機能を実現することができる。
次に、情報処理装置１１ａのディスプレイ１０４ａに表示される入力キー表示画面について説明する。
【００４２】
図５は、第２の実施の形態に係る入力キー表示画面の一例を示す図である。
入力キー表示画面１１０には、入力キー表示部１１１と、暗証キー表示部１１２とがある。入力キー表示部１１１には、「１」〜「９」、「０」の番号キー、「確認」キー、および、「取消」キーにそれぞれ対応付けられた複数の識別子が配置されている。すなわち、各識別子は、「１」〜「９」、「０」の番号キー、「確認」キー、および、「取消」キーを代替するものである。
【００４３】
ここでは、各識別子に、ローマ字と数字とを組み合わせたものを用いているが、他の文字や記号であってもよい。なお、各識別子を見ただけでは、対応する番号キーを想定することはできないものとする。
【００４４】
暗証キー表示部１１２には、入力キー表示部１１１に表示された識別子のうち、利用者によって選択された４桁の識別子の列が表示される。
ここで、各識別子と、「１」〜「９」、「０」の番号キー、「確認」キー、および、「取消」キーとの対応関係（対応規則）を示す。
【００４５】
図６は、第２の実施の形態に係る識別子と入力キーとの対応表の一例を示す図である。
次に、ビュアー装置２００を制御するビュアー制御部の機能について説明する。
図７は、第２の実施の形態に係るビュアー制御部の機能の一例を示す図である。
【００４６】
ビュアー制御部２００ａは、カメラ２０４に接続されたパターン認識部２１１と、対応データ格納部２１２と、画像合成部２１３と、ディスプレイ２０３に接続された表示制御部２１４とを有している。
【００４７】
対応データ格納部２１２には、「１」〜「９」、「０」の番号キー、「確認」キー、および、「取消」キーのそれぞれに対して、対応する識別子のパターンデータと、オブジェクトデータとが格納されている。
【００４８】
パターン認識部２１１は、カメラ２０４が撮像した撮像画像に含まれる識別子と、対応データ格納部２１２に格納されているパターンデータとを照合する。また、パターン認識部２１１は、撮像画像に含まれる識別子の歪み具合を検出する。
【００４９】
画像合成部２１３は、対応データ格納部２１２に格納されているオブジェクトデータを合成して立体画像を生成する。また、画像合成部２１３は、パターン認識部２１１が検出した撮像画像に含まれる識別子の歪み具合に応じて、生成する立体画像の表示角度を変化させる。
【００５０】
表示制御部２１４は、画像合成部２１３が生成した立体画像をディスプレイ２０３に表示する。ここで、表示制御部２１４は、画像合成部２１３が生成した立体画像を、カメラ２０４が撮像した撮像画像に含まれる対応する識別子と同じ配列位置に表示する。
【００５１】
次に、対応データ格納部２１２が格納する対応データについて説明する。
図８は、第２の実施の形態に係る対応データの一例を示す図である。
対応データ２１２ａには、「１」〜「９」、「０」の番号キー、「確認」キー、および、「取消」キーのそれぞれに対して、対応する識別子のパターンデータと、オブジェクトデータとが格納されている。ここで、各キーと識別子との対応関係は、図６に示した対応表の通りである。
【００５２】
オブジェクトデータは、立体画像を生成するための図形データである。なお、オブジェクトデータを合成して生成される立体画像は、キーが付された底面を備え、底面および側面が不透明の筒である。
【００５３】
次に、ビュアー制御部２００ａによる立体画像の表示手順について説明する。
図９は、第２の実施の形態に係る立体画像の表示手順の一例を示すフローチャートである。なお、図９に示す処理は、利用者によってビュアー装置２００が情報処理装置１１ａのディスプレイ１０４ａに翳され、カメラ２０４によってディスプレイ１０４ａが撮像されると開始される。なお、ディスプレイ１０４ａには、入力キー表示画面が表示されているものとする。
【００５４】
［ステップＳ１１］パターン認識部２１１が、カメラ２０４が撮像した撮像画像に含まれている識別子と、対応データ格納部２１２に格納されているパターンデータとを照合して、撮像画像に含まれている識別子と一致するパターンデータを抽出する。
【００５５】
［ステップＳ１２］パターン認識部２１１が、カメラ２０４が撮像した撮像画像に含まれている識別子の歪み具合を検出する。この識別子の歪みは、カメラ２０４によるディスプレイ１０４ａの撮像角度に起因して生じる。例えば、カメラ２０４がディスプレイ１０４ａに正対している場合は、識別子の歪みはほとんど生じないが、カメラ２０４がディスプレイ１０４ａに対して斜めの角度に位置している場合は、識別子の歪みが生じる。
【００５６】
［ステップＳ１３］画像合成部２１３が、パターン認識部２１１によって抽出されたパターンデータに対応するオブジェクトデータを、対応データ格納部２１２から取得する。
［ステップＳ１４］画像合成部２１３が、取得したオブジェクトデータを合成して立体画像を生成する。ここで、画像合成部２１３は、パターン認識部２１１が検出した撮像画像に含まれている識別子の歪み具合に応じて、生成する立体画像の表示角度を変化させる。
【００５７】
［ステップＳ１５］表示制御部２１４が、画像合成部２１３が生成した立体画像をディスプレイ２０３に表示して処理を終了する。
次に、ディスプレイ２０３に表示される立体画像表示画面について説明する。
【００５８】
図１０は、第２の実施の形態に係る立体画像表示画面の一例を示す図である。図１１は、第２の実施の形態に係る立体画像表示画面の他の一例を示す図である。
図１０、図１１に示すように、立体画像表示画面２２０には、入力キー表示部２２１と、暗証キー表示部２２２とがある。入力キー表示部２２１には、ディスプレイ１０４ａに表示された入力キー表示部の各識別子に対応する立体画像２２１ａ，２２１ｂが表示され、暗証キー表示部２２２には、ディスプレイ１０４ａに表示された暗証キー表示部の識別子に対応する立体画像２２２ａ，２２２ｂが表示される。
【００５９】
なお、立体画像２２１ａ，２２１ｂのそれぞれは、ディスプレイ１０４ａに表示された入力キー表示部の対応する識別子と、同じ配列位置に表示される。例えば、「１」の番号キーが付された立体画像２２１ａは、ディスプレイ１０４ａに表示された入力キー表示部の対応する識別子と同じように、下から２段目、左から１列目に表示される。また、立体画像２２２ａ，２２２ｂのそれぞれは、ディスプレイ１０４ａに表示された暗証キー表示部の対応する識別子と、同じ順番で表示される。
【００６０】
ここで、カメラ２０４がディスプレイ１０４ａに正対している場合には、図１０に示すように、立体画像２２１ａ，２２２ａは、上面から見た角度で表示される。すなわち、立体画像２２１ａ，２２２ａは底面を真上から覗き込む角度で表示され、底面に付されたキーが視認される。
【００６１】
また、カメラ２０４がディスプレイ１０４ａに対して斜めの角度に位置している場合には、図１１に示すように、立体画像２２１ｂ，２２２ｂは、斜めから見た角度で表示される。すなわち、立体画像２２１ｂ，２２２ｂの底面は側面により遮られるため、底面に付されたキーを視認することができない。
【００６２】
次に、制御装置１００による暗証番号の通知手順について説明する。
図１２は、第２の実施の形態に係る暗証番号の通知手順の一例を示すフローチャートである。
【００６３】
［ステップＳ２１］制御装置１００が、ディスプレイ１０４ａに表示した複数の識別子のうち、タッチパネル１０５ａによって選択された識別子に対応する番号キーを抽出する。
【００６４】
［ステップＳ２２］制御装置１００が、カウント値を１つカウントアップする。カウント値は、例えば、制御装置１００が記憶している。
［ステップＳ２３］制御装置１００が、カウント値が４回未満であるかどうかを判定する。カウント値が４回未満である場合、制御装置１００は、処理をステップＳ２１に戻す。カウント値が４回に達している場合、制御装置１００は、処理をステップＳ２４に進める。
【００６５】
［ステップＳ２４］制御装置１００が、抽出した番号キーからなる４桁の番号キー列をホスト装置１２に送信して処理を終了する。
以上、説明してきたように、暗証番号入力システム１１によれば、暗証番号の入力の際、情報処理装置１１ａのディスプレイ１０４ａには、番号キーに替えて識別子が表示されるため、入力操作を他人に覗き見られたとしても、暗証番号が他人に知られてしまうことを抑制できる。
【００６６】
また、暗証番号入力システム１１によれば、利用者は、ビュアー装置２００のディスプレイ２０３に表示された入力キー表示部の番号キーを参照しながら識別子を選択できるので、複数の識別子に対応する番号キーを記憶したりまたはメモしたりする必要がないため、暗証番号の入力操作を容易に行うことが可能となる。
【００６７】
また、暗証番号入力システム１１によれば、利用者は、入力した暗証番号をビュアー装置２００のディスプレイ２０３に表示された暗証キー表示部の番号キー列を視認することで確認することができる。
【００６８】
また、暗証番号入力システム１１によれば、ビュアー装置２００のカメラ２０４が撮像した画像に含まれている識別子の歪みに応じて、ディスプレイ２０３に表示される立体画像の表示角度が変化し、立体画像に付された番号キーの視認性が調整される。
【００６９】
このため、例えば、他人がビュアー装置２００と同じ機能を備えた他のビュアー装置を用いて、ディスプレイ１０４ａを斜めから覗き見たとしても、立体画像に付された番号キーは、例えば、図１１に示したように視認できないため、暗証番号が他人に知られてしまうことを抑制できる。
【００７０】
なお、上記の処理機能は、コンピュータによって実現することができる。その場合、ビュアー制御部２００ａまたは制御装置１００が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリなどがある。磁気記憶装置には、ハードディスク装置（ＨＤＤ）、フレキシブルディスク（ＦＤ）、磁気テープなどがある。光ディスクには、ＤＶＤ、ＤＶＤ−ＲＡＭ、ＣＤ−ＲＯＭ／ＲＷなどがある。光磁気記録媒体には、ＭＯ（Magneto-Optical disk）などがある。
【００７１】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【００７２】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送されるごとに、逐次、受け取ったプログラムに従った処理を実行することもできる。
【００７３】
また、上記の処理機能の少なくとも一部を、ＤＳＰ（Digital Signal Processor）、ＡＳＩＣ（Application Specific Integrated Circuit）、ＰＬＤ（Programmable Logic Device）などの電子回路で実現することもできる。
【００７４】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００７５】
１  番号入力システム
２，１１ａ  情報処理装置
２ａ  入力部
２ｂ  表示部
２ｃ  制御部
３，２００  ビュアー装置
３ａ  撮像部
３ｂ  表示部
３ｃ  制御部
４，１２  ホスト装置
５  所定の規則
１０  暗証番号認証システム
１１  暗証番号入力システム
１３  ネットワーク
１００  制御装置
１０４ａ，２０３  ディスプレイ
１０５ａ  タッチパネル
２００ａ  ビュアー制御部
２０４  カメラ
２１１  パターン認識部
２１２  対応データ格納部
２１３  画像合成部
２１４  表示制御部
【図１】
2013065103.tif 000003
【図２】
2013065103.tif 000004
【図３】
2013065103.tif 000005
【図４】
2013065103.tif 000006
【図５】
2013065103.tif 000007
【図６】
2013065103.tif 000008
【図７】
2013065103.tif 000009
【図８】
2013065103.tif 000010
【図９】
2013065103.tif 000011
【図１０】
2013065103.tif 000012
【図１１】
2013065103.tif 000013
【図１２】
2013065103.tif 000014
【手続補正書】
【提出日】平成25年10月18日(2013.10.18)
【手続補正１】
【補正対象書類名】特許請求の範囲
【補正対象項目名】全文
【補正方法】変更
【補正の内容】
【特許請求の範囲】
【請求項１】
撮像部と、
第１の表示部と、
制御部とを有し、
前記制御部は、第２の表示部を有し複数の識別子を前記第２の表示部に表示し前記第２の表示部に表示した複数の識別子のうち選択された識別子に対応する番号をホスト装置に通知する情報処理装置における、前記第２の表示部に表示された複数の識別子のそれぞれと前記ホスト装置に通知される番号との対応関係を規定した所定の規則に基づいて、前記撮像部によって撮像された画像に含まれる識別子を番号に変換し、変換した番号を前記第１の表示部に表示する、
ことを特徴とするビュアー装置。
【請求項２】
前記制御部は、前記撮像部が撮像した画像に含まれている識別子の歪みに応じて、前記第１の表示部に表示する変換した番号の視認性を調整すること、
を特徴とする請求項１記載のビュアー装置。
【請求項３】
前記制御部は、変換した番号が付された立体画像を前記第１の表示部に表示し、前記撮像部が撮像した画像に含まれている識別子の歪みに応じて、前記第１の表示部に表示する立体画像の表示角度を変化させ、変換した番号の視認性を調整すること、
を特徴とする請求項２記載のビュアー装置。
【請求項４】
前記制御部は、変換した番号を、前記撮像部が撮像した画像に含まれる対応する識別子と同じ配列位置に表示すること、
を特徴とする請求項１〜３のいずれか１項に記載のビュアー装置。
【請求項５】
入力部と、第２の表示部と、それぞれが所定の規則に基づいて番号と対応付けられた複数の識別子を前記第２の表示部に表示し、前記第２の表示部に表示した複数の識別子のうち前記入力部によって選択された識別子に対応する番号をホスト装置に通知する第２の制御部と、を有している情報処理装置と、
撮像部と、第１の表示部と、前記撮像部が撮像した画像に含まれる識別子を前記所定の規則に基づいて番号に変換し、変換した番号を前記第１の表示部に表示する第１の制御部と、を有しているビュアー装置と、
を含むことを特徴とする番号入力システム。
【請求項６】
前記第２の制御部は、前記第２の表示部に表示した複数の識別子のうち前記入力部によって選択された識別子の列を、前記第２の表示部に表示すること、
を特徴とする請求項５記載の番号入力システム。
【請求項７】
撮像部と第１の表示部とを有するビュアー装置と、入力部と第２の表示部とを有する情報処理装置とを含む番号入力システムが実施する番号入力方法であって、
それぞれが所定の規則に基づいて番号と対応付けられた複数の識別子を前記第２の表示部に表示し、
前記第２の表示部に表示した複数の識別子を前記撮像部によって撮像し、
前記撮像部によって撮像した画像に含まれる識別子を前記所定の規則に基づいて番号に変換し、
変換した番号を前記第１の表示部に表示し、
前記第２の表示部に表示した複数の識別子のうち前記入力部によって選択された識別子に対応する番号をホスト装置に通知する、
ことを特徴とする番号入力方法。
【請求項８】
撮像部と第１の表示部とを有しているビュアー装置に用いられる変換プログラムであって、コンピュータに、
第２の表示部を有し複数の識別子を前記第２の表示部に表示し前記第２の表示部に表示した複数の識別子のうち選択された識別子に対応する番号をホスト装置に通知する情報処理装置における、前記第２の表示部に表示された複数の識別子のそれぞれと前記ホスト装置に通知される番号との対応関係を規定した所定の規則に基づいて、前記撮像部によって撮像された画像に含まれる識別子を番号に変換し、
変換した番号を前記第１の表示部に表示する、
処理を実行させる変換プログラム。
【手続補正書】
【提出日】平成26年10月9日(2014.10.9)
【手続補正１】
【補正対象書類名】明細書
【補正対象項目名】０００７
【補正方法】変更
【補正の内容】
【０００７】
上記目的を達成するために以下のようなビュアー装置、番号入力システム、番号入力方法、および、変換プログラムが提供される。
このビュアー装置は、撮像部と、第１の表示部と、制御部とを有し、制御部は、第２の表示部を有し複数の識別子を第２の表示部に表示し表示した識別子のうち選択された選択識別子に対応する番号をホスト装置に通知する情報処理装置における、識別子のそれぞれと番号との対応関係を規定した所定の規則に基づいて、撮像部によって撮像された画像に含まれる識別子を番号に変換し、画像に含まれている識別子の歪みに応じて、番号の視認性を調整し、番号を第１の表示部に表示する。
【手続補正２】
【補正対象書類名】明細書
【補正対象項目名】０００８
【補正方法】変更
【補正の内容】
【０００８】
また、この番号入力システムは、入力部と、第２の表示部と、それぞれが所定の規則に基づいて番号と対応付けられた複数の識別子を第２の表示部に表示し、表示した識別子のうち入力部によって選択された選択識別子に対応する番号をホスト装置に通知する第２の制御部と、を有している情報処理装置と、撮像部と、第１の表示部と、撮像部が撮像した画像に含まれる識別子を所定の規則に基づいて番号に変換し、画像に含まれている識別子の歪みに応じて、番号の視認性を調整して、番号を第１の表示部に表示する第１の制御部と、を有しているビュアー装置と、を含む。
【手続補正３】
【補正対象書類名】明細書
【補正対象項目名】０００９
【補正方法】変更
【補正の内容】
【０００９】
また、この番号入力方法は、撮像部と第１の表示部とを有するビュアー装置と、入力部と第２の表示部とを有する情報処理装置とを含む番号入力システムが実施する番号入力方法であって、それぞれが所定の規則に基づいて番号と対応付けられた複数の識別子を第２の表示部に表示し、第２の表示部に表示した識別子を撮像部によって撮像し、撮像部によって撮像した画像に含まれる識別子を所定の規則に基づいて番号に変換し、画像に含まれている識別子の歪みに応じて、番号の視認性を調整し、番号を第１の表示部に表示し、第２の表示部に表示した識別子のうち入力部によって選択された選択識別子に対応する番号をホスト装置に通知する。
【手続補正４】
【補正対象書類名】明細書
【補正対象項目名】００１０
【補正方法】変更
【補正の内容】
【００１０】
また、この変換プログラムは、撮像部と第１の表示部とを有しているビュアー装置に用いられる変換プログラムであって、コンピュータに、第２の表示部を有し複数の識別子を第２の表示部に表示し、表示した識別子のうち選択された選択識別子に対応する番号をホスト装置に通知する情報処理装置における、識別子のそれぞれとホスト装置に通知される番号との対応関係を規定した所定の規則に基づいて、撮像部によって撮像された画像に含まれる識別子を番号に変換し、画像に含まれている識別子の歪みに応じて、番号の視認性を調整し、番号を第１の表示部に表示する、処理を実行させる。
【手続補正５】
【補正対象書類名】特許請求の範囲
【補正対象項目名】全文
【補正方法】変更
【補正の内容】
【特許請求の範囲】
【請求項１】
撮像部と、
第１の表示部と、
制御部とを有し、
前記制御部は、第２の表示部を有し複数の識別子を前記第２の表示部に表示し、表示した前記識別子のうち選択された選択識別子に対応する番号をホスト装置に通知する情報処理装置における、前記識別子のそれぞれと前記番号との対応関係を規定した所定の規則に基づいて、前記撮像部によって撮像された画像に含まれる前記識別子を前記番号に変換し、前記画像に含まれている前記識別子の歪みに応じて、前記番号の視認性を調整し、前記番号を前記第１の表示部に表示する、
ことを特徴とするビュアー装置。
【請求項２】
前記制御部は、前記番号が付された立体画像を前記第１の表示部に表示し、前記画像に含まれている前記識別子の歪みに応じて、前記立体画像の表示角度を変化させ、前記番号の視認性を調整すること、
を特徴とする請求項１記載のビュアー装置。
【請求項３】
前記制御部は、前記番号を、前記選択識別子と同じ配列位置に表示すること、
を特徴とする請求項１または２に記載のビュアー装置。
【請求項４】
入力部と、第２の表示部と、それぞれが所定の規則に基づいて番号と対応付けられた複数の識別子を前記第２の表示部に表示し、表示した前記識別子のうち前記入力部によって選択された選択識別子に対応する前記番号をホスト装置に通知する第２の制御部と、を有している情報処理装置と、
撮像部と、第１の表示部と、前記撮像部が撮像した画像に含まれる前記識別子を前記所定の規則に基づいて前記番号に変換し、前記画像に含まれている前記識別子の歪みに応じて、前記番号の視認性を調整して、前記番号を前記第１の表示部に表示する第１の制御部と、を有しているビュアー装置と、
を含むことを特徴とする番号入力システム。
【請求項５】
前記第２の制御部は、前記選択識別子の列を、前記第２の表示部に表示すること、
を特徴とする請求項４記載の番号入力システム。
【請求項６】
撮像部と第１の表示部とを有するビュアー装置と、入力部と第２の表示部とを有する情報処理装置とを含む番号入力システムが実施する番号入力方法であって、
それぞれが所定の規則に基づいて番号と対応付けられた複数の識別子を前記第２の表示部に表示し、
前記第２の表示部に表示した前記識別子を前記撮像部によって撮像し、
前記撮像部によって撮像した画像に含まれる前記識別子を前記所定の規則に基づいて前記番号に変換し、
前記画像に含まれている前記識別子の歪みに応じて、前記番号の視認性を調整し、
前記番号を前記第１の表示部に表示し、
前記第２の表示部に表示した前記識別子のうち前記入力部によって選択された選択識別子に対応する前記番号をホスト装置に通知する、
ことを特徴とする番号入力方法。
【請求項７】
撮像部と第１の表示部とを有しているビュアー装置に用いられる変換プログラムであって、コンピュータに、
第２の表示部を有し複数の識別子を前記第２の表示部に表示し、表示した前記識別子のうち選択された選択識別子に対応する番号をホスト装置に通知する情報処理装置における、前記識別子のそれぞれと前記前記番号との対応関係を規定した所定の規則に基づいて、前記撮像部によって撮像された画像に含まれる前記識別子を前記番号に変換し、前記画像に含まれている前記識別子の歪みに応じて、前記番号の視認性を調整し、
前記番号を前記第１の表示部に表示する、
処理を実行させる変換プログラム。
【国際調査報告】
2013065103.tif 000015
2013065103.tif 000016